(57)【要約】【課題】業務中に携帯端末で作成された業務情報を、業務終了ごとに確実にセンタ装置に送信することができる携帯端末、業務情報管理システム、業務情報管理方法および業務情報管理プログラムを実現する。【解決手段】携帯端末であって、記憶部と、センタ装置と通信を行う通信処理部と、利用者が操作して情報を入力する操作部と、入力された情報に基づき作成された業務情報を記憶部に記憶する業務情報処理部と、操作部から転送指示が入力されると、業務情報を通信処理部を介してセンタ装置に送信する業務情報転送部と、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信する勤務終了処理部と、を有するように構成する。【選択図】図１２
2015121975.tif 000002
【特許請求の範囲】
【請求項１】
記憶部と、
センタ装置と通信を行う通信処理部と、
利用者が操作して情報を入力する操作部と、
入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、
を有することを特徴とする携帯端末。
【請求項２】
前記業務情報転送部は、前記センタ装置への送信が完了した前記業務情報を前記記憶部から削除する、請求項１に記載の携帯端末。
【請求項３】
前記記憶部は、前記作成された業務情報を暗号鍵で暗号化した業務情報と該暗号鍵とを記憶し、
前記業務情報転送部は、前記暗号化された業務情報を前記暗号鍵と共に前記センタ装置に送信し、
前記勤務終了処理部は、前記センタ装置に前記退勤信号を送信すると、前記暗号鍵を前記記憶部から削除する、請求項１または２に記載の携帯端末。
【請求項４】
表示部をさらに有し、
前記勤務終了処理部は、前記操作部から前記勤務終了が入力されたとき、前記記憶部に前記未転送の業務情報が記憶されている場合、利用者に前記未転送の業務情報が記憶されていることを示すメッセージを前記表示部に表示させる、請求項１〜３のいずれか一項に記載の携帯端末。
【請求項５】
前記勤務終了処理部は、前記操作部から前記勤務終了が入力されたとき、前記記憶部に前記未転送の業務情報が記憶されている場合、前記未転送の業務情報を前記センタ装置に送信し、前記センタ装置に前記退勤信号を前記通信処理部を介して送信する、請求項１〜４のいずれか一項に記載の携帯端末。
【請求項６】
携帯端末と、該携帯端末に通信回線で接続されたセンタ装置と、を有する業務情報管理システムであって、
前記携帯端末は、
記憶部と、
前記センタ装置と通信を行う通信処理部と、
利用者が操作して情報を入力する操作部と、
入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、を有し、
前記センタ装置は、
記憶部と、
前記携帯端末と通信を行う通信処理部と、
前記携帯端末から前記通信処理部によって受信した業務情報を前記記憶部に記憶する業務情報受信部と、
前記通信処理部が退勤信号を受信すると、前記携帯端末の利用者の退勤を登録する勤務終了登録部と、を有することを特徴とする業務情報管理システム。
【請求項７】
記憶部と、センタ装置と通信を行う通信処理部と、利用者が操作して情報を入力する操作部と、を有する携帯端末によって実行される業務情報管理方法であって、
入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
を有することを特徴とする方法。
【請求項８】
携帯端末と、該携帯端末に通信回線で接続されたセンタ装置と、を有する業務情報管理システムにおいて実行される業務情報管理方法であって、
前記携帯端末は、
記憶部と、
前記センタ装置と通信を行う通信処理部と、
利用者が操作して情報を入力する操作部と、を有し、
前記センタ装置は、
記憶部と、
前記携帯端末と通信を行う通信処理部と、を有し、前記方法は、
前記携帯端末が、
入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
前記センタ装置が、
前記携帯端末から前記通信処理部によって受信した業務情報を前記記憶部に記憶するステップと、
前記通信処理部が退勤信号を受信すると、前記携帯端末の利用者の退勤を登録するステップと、を有することを特徴とする方法。
【請求項９】
制御部と、記憶部と、センタ装置と通信を行う通信処理部と、利用者が操作して情報を入力する操作部と、を有する携帯端末において実行される業務情報管理プログラムであって、
入力された情報に基づき作成された業務情報を前記記憶部に記憶する手順と、
前記操作部から転送指示が入力されると、前記業務情報を前記通信処理部を介して前記センタ装置に送信する手順と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する手順と、
を前記制御部に実行させることを特徴とする業務情報管理プログラム。
【発明の詳細な説明】
【技術分野】
【０００１】
本発明は、携帯端末、携帯端末と携帯端末に通信回線で接続されたセンタ装置とを備える業務情報管理システム、業務情報管理方法および業務情報管理プログラムに関する。
【背景技術】
【０００２】
従来、オフィスビル、マンション、戸建住宅などの建物において、各種センサや監視カメラを設置して建物の安全状況を監視する警備システムが利用されている。このような警備システムを利用した警備サービスにおいて、近年のスマートフォンやタブレット端末といった携帯端末の普及に伴い、これらの携帯端末が利用されるようになった。例えば、警備システムにおいて何らかの異常を検知した場所の確認や巡回を行うとき、警備員は、携帯端末を利用することによって、固定の監視カメラでは撮影できない場所を撮影したり、点検した結果を即座に携帯端末に入力したりして、点検記録や監視画像などの業務情報を現場において携帯端末上で随時作成することができる。ただし、監視画像などの情報には顧客の個人情報や機密事項が含まれる場合が多いので、これらの監視情報を携帯端末に残したままにしておくと、個人情報や機密情報の不正流出などのセキュリティ上の危険が高まる。
【０００３】
特許文献１には、デジタルカメラで撮影した画像データの秘匿性を確保するため、撮影によって得られた画像データを暗号鍵で暗号化して記憶し、暗号化した画像データを外部装置に伝送した後、縮小画像を記憶装置から削除することが開示されている。
【先行技術文献】
【特許文献】
【０００４】
【特許文献１】特開２００４−１２０３０１号公報
【発明の概要】
【発明が解決しようとする課題】
【０００５】
例えば、当番業務などで複数の利用者が交替で同一の携帯端末を使用する場合、次の利用者に交替する前に、各自が携帯端末内に記憶した業務情報をセンタに送ることによって、効率良く業務情報をセンタに集約させることが好ましい。しかしながら、特許文献１では、画像データの伝送指示は利用者によるボタンの押圧などの手動操作によって行われるので、操作忘れなどにより機密性の高い情報が端末内に残ったまま放置されてしまう危険がある。業務情報は、業務の進行に応じて利用者に読み出されたり更新されたりする可能性があるため、一律に自動送信あるいは自動消去することも難しい。
【０００６】
本発明の目的は、業務中に携帯端末で作成された業務情報を、業務終了ごとに確実にセンタ装置に送信することができる携帯端末、業務情報管理システム、業務情報管理方法および業務情報管理プログラムを提供することである。
【課題を解決するための手段】
【０００７】
かかる課題を解決するための本発明の一つの実施形態によれば、携帯端末が提供される。かかる携帯端末は、記憶部と、センタ装置と通信を行う通信処理部と、利用者が操作して情報を入力する操作部と、入力された情報に基づき作成された業務情報を記憶部に記憶する業務情報処理部と、操作部から転送指示が入力されると、業務情報を通信処理部を介してセンタ装置に送信する業務情報転送部と、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信する勤務終了処理部と、を有する。
【０００８】
かかる携帯端末において、業務情報転送部は、センタ装置への送信が完了した業務情報を記憶部から削除することが好ましい。
【０００９】
記憶部は、前記作成された業務情報を暗号鍵で暗号化した業務情報と該暗号鍵とを記憶し、業務情報転送部は、暗号化された業務情報を暗号鍵と共にセンタ装置に送信し、勤務終了処理部は、センタ装置に退勤信号を送信すると、暗号鍵を記憶部から削除することが好ましい。
【００１０】
かかる携帯端末において、表示部をさらに有し、勤務終了処理部は、操作部から勤務終了が入力されたとき、記憶部に未転送の業務情報が記憶されている場合、利用者に未転送の業務情報が記憶されていることを示すメッセージを表示部に表示させることが好ましい。
【００１１】
かかる携帯端末において、勤務終了処理部は、操作部から勤務終了が入力されたとき、記憶部に未転送の業務情報が記憶されている場合、未転送の業務情報をセンタ装置に送信し、センタ装置に退勤信号を通信処理部を介して送信することが好ましい。
【００１２】
本発明の他の実施形態によれば、携帯端末と、該携帯端末に通信回線で接続されたセンタ装置と、を有する業務情報管理システムが提供される。かかる業務情報管理システムにおいて、携帯端末は、記憶部と、センタ装置と通信を行う通信処理部と、利用者が操作して情報を入力する操作部と、入力された情報に基づき作成された業務情報を記憶部に記憶する業務情報処理部と、操作部から転送指示が入力されると、業務情報を通信処理部を介してセンタ装置に送信する業務情報転送部と、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信する勤務終了処理部と、を有し、センタ装置は、記憶部と、携帯端末と通信を行う通信処理部と、携帯端末から通信処理部によって受信した業務情報を記憶部に記憶する業務情報受信部と、通信処理部が退勤信号を受信すると、携帯端末の利用者の退勤を登録する勤務終了登録部と、を有する。
【００１３】
本発明の他の実施形態によれば、記憶部と、センタ装置と通信を行う通信処理部と、利用者が操作して情報を入力する操作部と、を有する携帯端末によって実行される業務情報管理方法が提供される。かかる業務情報管理方法において、入力された情報に基づき作成された業務情報を記憶部に記憶するステップと、操作部から転送指示が入力されると、業務情報を通信処理部を介してセンタ装置に送信するステップと、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信するステップと、を有する。
【００１４】
本発明の他の実施形態によれば、携帯端末と、該携帯端末に通信回線で接続されたセンタ装置と、を有する業務情報管理システムにおいて実行される業務情報管理方法が提供される。かかる業務情報管理方法において、携帯端末は、記憶部と、センタ装置と通信を行う通信処理部と、利用者が操作して情報を入力する操作部と、を有し、センタ装置は、記憶部と、携帯端末と通信を行う通信処理部と、を有し、この方法は、携帯端末が、入力された情報に基づき作成された業務情報を記憶部に記憶するステップと、操作部から転送指示が入力されると、業務情報を通信処理部を介してセンタ装置に送信するステップと、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信するステップと、センタ装置が、携帯端末から通信処理部によって受信した業務情報を記憶部に記憶するステップと、通信処理部が退勤信号を受信すると、携帯端末の利用者の退勤を登録するステップと、を有する。
【００１５】
本発明の他の実施形態によれば、制御部と、記憶部と、センタ装置と通信を行う通信処理部と、利用者が操作して情報を入力する操作部と、を有する携帯端末において実行される業務情報管理プログラムが提供される。かかる業務情報管理プログラムは、入力された情報に基づき作成された業務情報を記憶部に記憶する手順と、操作部から転送指示が入力されると、業務情報を通信処理部を介してセンタ装置に送信する手順と、操作部から勤務終了が入力されたとき、記憶部に未転送の業務情報が記憶されている場合、利用者が勤務を終了することを表す退勤信号を送信せず、記憶部に未転送の業務情報が記憶されていない場合、センタ装置に退勤信号を通信処理部を介して送信する手順と、を制御部に実行させる。
【発明の効果】
【００１６】
本発明に係る携帯端末、業務情報管理システム、業務情報管理方法および業務情報管理プログラムは、業務中に携帯端末で作成された業務情報を、業務終了ごとに確実にセンタ装置に送信することができるという効果を奏する。
【図面の簡単な説明】
【００１７】
【図１】警備員が携帯端末を用いて警備を実施する運用を説明する図である。
【図２】本発明の一実施形態に係る警備システムの構成図である。
【図３】本実施形態に係る携帯端末の構成図である。
【図４】本実施形態に係るセンタ装置の構成図である。
【図５】本実施形態に係る携帯端末の動作の概略を示すフローチャートである。
【図６】本実施形態に係る携帯端末の動作の概略を示すフローチャートである。
【図７】本実施形態に係る携帯端末の勤務開始処理における動作シーケンス図である。
【図８】本実施形態に係る携帯端末の点検情報作成処理における動作シーケンス図である。
【図９】本実施形態に係る携帯端末の画像情報作成処理における動作シーケンス図である。
【図１０】本実施形態に係る携帯端末の業務情報更新処理における動作シーケンス図である。
【図１１】本実施形態に係る携帯端末の業務情報転送処理における動作シーケンス図である。
【図１２】本実施形態に係る携帯端末の勤務終了処理における動作シーケンス図である。
【発明を実施するための形態】
【００１８】
以下、本発明に係る業務情報管理システムを、警備システムに適用した一実施形態について、図面を参照しつつ説明する。
【００１９】
図１は、警備員が携帯端末２００を用いて警備を実施する運用を説明する図である。図１に示すように、このような運用による警備システム１００では、警備員がスマートフォンなどの携帯端末２００を用いて警備を行う場合、各警備員は、警備を開始する前にＰＣ４００または携帯端末２００などで勤務開始の操作を行う。この操作によって、該警備員が該携帯端末２００を用いて勤務を開始することが、ネットワーク５００を介して監視センタのセンタ装置３００に通知されて登録される。勤務を開始すると、警備員は、センタ装置３００から送られた警備情報に従って、各点検箇所を点検しながら携帯端末２００に点検記録を入力する。また、必要に応じて、携帯端末２００に内蔵されたカメラで点検箇所を撮影して監視画像を得る。そして、警備員は、記憶された業務情報を、携帯端末２００を操作することによって、センタ装置３００に転送することができる。警備の終了後、警備員が携帯端末２００で勤務終了の操作を行うと、センタ装置３００にネットワーク５００を介して退勤信号が送られる。センタ装置３００は、携帯端末２００から退勤信号を受信すると、該当する警備員の退勤を登録し、警備員は勤務を終了することができる。
【００２０】
しかしながら、警備員が携帯端末内の業務情報をセンタ装置に転送する操作を忘れると、未転送の業務情報が携帯端末内に残されたまま放置されてしまい、機密情報の不正流出などのセキュリティ上の危険性が高まる。そこで、本発明に係る携帯端末では、警備員が携帯端末で勤務終了の操作を行ったとき、携帯端末内に未転送の業務情報が残っているか否かを確認し、携帯端末内に未転送の業務情報が残っている場合、携帯端末からセンタ装置に勤務終了を知らせる退勤信号を送信しない。そのため、警備員は勤務を終了することができない。一方、携帯端末内に未転送の業務情報が残っていなければ、携帯端末はセンタ装置に退勤信号を送信する。退勤信号を受信したセンタ装置は、警備員の退勤を登録するので、警備員は勤務を終了することができる。したがって、警備員の勤務終了後に、未転送の業務情報が携帯端末内に残されるというセキュリティ上の問題を回避することができる。また、各警備員が勤務を終了するごとに業務情報は携帯端末からセンタ装置に送信されるので、各携帯端末で作成された業務情報はすべてセンタ装置に確実に集約される。
【００２１】
図２は、本発明の一実施形態に係る警備システムの構成図である。図２に示すように、警備システム１は、携帯端末２と、センタ装置３と、警備装置４とを有する。携帯端末２は、警備装置４が設置された施設で使用されてもよいし、警備装置４が設置されていない場所で使用されてもよい。
【００２２】
携帯端末２は、基地局装置５または基地局装置８を介して携帯電話ネットワーク６に接続される。この携帯電話ネットワーク６は、Ｗ−ＣＤＭＡ、ＣＤＭＡ２０００、ＬＴＥ（Long Term Evolution）、ＷｉＭＡＸまたはＰＨＳなどの通信方式に従ったネットワークであり、さらに不図示のゲートウェイサーバを介して、インターネットなどのＩＰネットワーク７に接続される。センタ装置３および警備装置４は、このＩＰネットワーク７に接続される。また、センタ装置３は、基地局装置９を介して携帯電話ネットワーク６に接続されてもよい。
【００２３】
なお、携帯端末２は、センタ装置３との間で情報の送受信が可能であれば、いかなる形態の通信ネットワークに接続されてもよい。例えば、携帯端末２は、警備装置４が設置されている施設などの無線ＬＡＮを使用可能な環境で利用される場合、アクセスポイント１０から警備装置４が接続されているルータ１１を経由して、ＩＰネットワーク７に接続されてもよい。この場合、携帯端末２と警備装置４とは、異なるルータに接続されてもよい。このように、携帯端末２とセンタ装置３とは、携帯電話ネットワーク６またはＩＰネットワーク７などの同一のネットワークを介して接続されてもよい。携帯端末２とセンタ装置３とが２通り以上の通信ルートで接続される場合、送受信する情報の種類や無線通信の状況などに従って、いずれのルートの通信ネットワークを用いるかを振り分けてもよい。以下では、携帯端末２が、基地局装置５を介して携帯電話ネットワーク６に接続され、携帯電話ネットワーク６からゲートウェイサーバによって接続されたＩＰネットワーク７を介して、センタ装置３と情報を送受信する場合について述べる。
【００２４】
携帯端末２は、利用者が業務を実施するときに使用する、スマートフォン、タブレットＰＣまたはノートＰＣなどの携帯可能な情報処理装置である。利用者は、携帯端末２を用いて、勤務の開始および終了をセンタ装置３に通知し、警備で使用する情報をセンタ装置３から受信する。また、利用者は、携帯端末２を用いて、点検記録を入力したり監視画像を撮影したりして携帯端末２内に業務情報を作成し、作成した業務情報を携帯端末２からセンタ装置３に送信する。
【００２５】
センタ装置３は、警備会社などが警備装置４を監視するために運営する監視センタ、警備員を派遣する警備本部、警備員に遠隔から指示を出すための指令本部、大型ビル内の防災センタに設けられた防災本部など、警備員の管理を行う施設に設置される。センタ装置３は、各警備装置４からＩＰネットワーク７を介して異常検出信号を受信すると、その異常検出信号を送信した警備装置４が設置された物件および検出された異常の内容を、報知部および表示装置を通じて、監視員に通知する。異常を通知されたセンタ装置３の監視員は、警備員が携帯している携帯端末２に連絡し、その警備員に、異常が発生している警備装置４が設置された物件に行って、適切な対処を実施するように指示する。また、センタ装置３は、携帯端末２を用いて警備を実施する警備員の勤務の管理、警備で使用する情報の携帯端末２を介した警備員への提供、または、各携帯端末２で作成された業務情報の集中管理を行う。
【００２６】
警備装置４は、家屋、マンションの住戸等、安全状況を監視する監視対象としての各物件に設置され、各物件の異常を検出するための１つ以上のセンサが接続される。センサは、例えば、火災を検知するための熱感知センサあるいは煙感知センサ、窓、ドア等の開閉部に取り付けられ、その開閉を検知するマグネットセンサ、または受光した赤外線の光量変化に基づいて探知範囲内への侵入者等の有無を検知する赤外線センサである。あるいは、センサは、撮像画像と予め記憶された正常時の画像との差分信号に基づいて撮像範囲内への侵入者等の有無を検知する画像センサでもよい。警備装置４は、センサにより異常が検出されると、異常が検出されたことを示す異常検出信号および警備装置４の識別番号を表す信号をルータ１１およびＩＰネットワーク７を介してセンタ装置３に通知する。
【００２７】
図３は、本実施形態に係る携帯端末２の構成図である。図３に示すように、携帯端末２は、通信処理部２１と、表示部２２と、操作部２３と、画像取得部２４と、記憶部２５と、制御部２６とを有する。
【００２８】
通信処理部２１は、携帯端末２がアンテナを通じて基地局装置５と、Ｗ−ＣＤＭＡ、ＣＤＭＡ２０００またはＬＴＥなどの通信方式に従った携帯電話の無線通信を行うための通信インターフェース回路を有する。通信処理部２１は、基地局装置５を介してセンタ装置３から受信した情報を制御部２６に送る。また、通信処理部２１は、制御部２６から受け取った情報を、基地局装置５を介してセンタ装置３に送信する。なお、通信処理部２１は、無線ＬＡＮ、ＷｉＭＡＸ、ＰＨＳなどの他の通信方式に従った通信インターフェース回路を有してもよいし、複数の通信方式に対応するよう複数の通信インターフェース回路を有してもよい。
【００２９】
表示部２２は、液晶ディスプレイ、タッチパネルディスプレイなどの表示デバイスで構成される。表示部２２には、警備員が警備端末に行わせる処理を指示するための画面や点検記録などを入力するための画面が表示される。また、表示部２２は、勤務終了時に携帯端末２内に未転送の業務情報が残っているため勤務を終了できない場合など、エラーメッセージを表示することができる。
【００３０】
操作部２３は、利用者が携帯端末２を操作するための操作インターフェースである。操作部２３は、テンキーやタッチパネル等の入力装置で構成され、利用者からの各種操作を受け付け、それらの操作に対応する信号を制御部２６へ出力する。利用者は、操作部２３を操作することによって、携帯端末２に行わせる処理を指示したり、自身の識別情報および認証情報や点検記録などの情報を入力したりすることができる。なお、表示部２２をタッチパネルディスプレイで構成することで、表示部２２と操作部２３とを一体化してもよい。
【００３１】
画像取得部２４は、ＣＣＤ素子またはＣ−ＭＯＳ素子等の撮像素子、光学系部品、Ａ／Ｄ変換器、エンコーダなどを含んで構成される公知の内蔵カメラまたは外部カメラを用いることができる。画像取得部２４で取得する画像情報は、静止画あるいは動画の何れでもよく、このため、画像取得部２４は、例えば、ＪＰＥＧまたはＭＰＥＧなどの携帯端末２およびセンタ装置３の両方で処理可能な形式で画像情報を取得できることが好ましい。
【００３２】
記憶部２５は、ＲＯＭ（Read Only Memory）、ＲＡＭ（Random Access Memory）、ＥＰＲＯＭ（Erasable Programmable Read Only Memory）などの半導体メモリを有する。記憶部２５は、携帯端末２を制御するためのコンピュータプログラム、各種パラメータおよび各種データを記憶し、制御部２６との間でこれらの情報をやりとりする。記憶部２５は、必要に応じて、マイクロＳＤカードなどの補助メモリを有してもよい。プログラムは、通信処理部２１などを介して提供されて記憶部２５に記憶されてもよく、ファームウェアとしてＲＯＭまたはＥＰＲＯＭなどの半導体メモリに記憶されて提供されてもよい。記憶部２５は、例えば、警備情報および業務情報などを記憶する。
【００３３】
警備情報は、例えば、端末の利用者が警備する場所およびスケジュール、金庫などの監視対象物の配置などを記した間取り図、利用者が警備中に点検記録を入力するための点検情報の入力フォームなどの利用者が警備を実施するのに使用する情報を有する。この点検情報入力フォームは、利用者の警備スケジュールに従って利用者が警備中に入力すべき点検項目および備考欄などを有する。警備情報は、センタ装置３から通信処理部２１を介して受信され記憶部２５に記憶される。
【００３４】
業務情報は、利用者が業務中に行った業務の記録などの情報である。業務情報は、例えば、警備中の携帯端末２の利用者によって操作部２３を介して入力された点検情報と、画像取得部２４によって取得された画像情報とを有する。業務情報は、暗号鍵で暗号化されて記憶部２５に記憶されてもよい。
【００３５】
制御部２６は、１つまたは複数のプロセッサおよびその周辺回路を含んで構成され、プロセッサが記憶部２５の半導体メモリに記憶されたプログラムを実行することによって、携帯端末２の動作を制御する。プロセッサおよび半導体メモリは、独立した集積回路、マイクロプロセッサもしくはＡＳＩＣなどを含んで構成されてもよい。
【００３６】
図３に示すように、制御部２６は、勤務開始処理部２６１と、業務情報処理部２６２と、業務情報転送部２６３と、勤務終了処理部２６４とを有する。例えば、これらの各部は、記憶部２５に記憶されプロセッサにより実行されるプログラムにより実現される機能モジュールである。なお、制御部２６の各部の動作については、後でより詳細に述べる。
【００３７】
勤務開始処理部２６１は、利用者が、勤務を開始するとき、携帯端末２を用いて勤務開始を監視センタに通知する勤務開始処理を実行する。勤務開始処理部２６１は、利用者から操作部２３を介して勤務開始を示すコマンドが入力されると、個人識別情報、端末識別情報および認証情報などの情報と共に勤務開始を表す信号を、通信処理部２１を介してセンタ装置３に送る。また、勤務開始処理部２６１は、勤務開始信号を受け取ったセンタ装置３から、通信処理部２１を介して警備情報および暗号鍵などの情報を受け取る。
【００３８】
業務情報処理部２６２は、利用者が業務中に行った業務に関する記録などの業務情報の作成／更新および記憶部２５への記憶などの処理を行う。
【００３９】
業務情報処理部２６２は、例えば、利用者から操作部２３を介して業務情報の作成を指示されると、業務情報作成処理を実行する。業務情報処理部２６２は、例えば、利用者によって操作部２３から入力される点検記録に基づいて点検情報を作成し、作成した点検情報を未転送の業務情報として記憶部２５に記憶する。また、業務情報処理部２６２は、例えば、画像取得部２４から画像情報を取得し、取得した画像情報を未転送の業務情報として記憶部２５に記憶する。
【００４０】
また、業務情報処理部２６２は、例えば、利用者から操作部２３を介して業務情報の更新を指示されると、業務情報更新処理を実行する。業務情報処理部２６２は、記憶部２５に記憶されている点検情報などの業務情報を読み出し、利用者の操作部２３からの編集入力に基づいて業務情報を変更し、変更した業務情報を記憶部２５に記憶する。
【００４１】
業務情報処理部２６２は、記憶部２５に記憶した業務情報を、例えば、業務情報の識別情報、未転送であることを識別するフラグ情報、記憶領域、記憶開始位置および大きさなどの管理情報に対応付けて管理することができる。業務情報処理部２６２は、他の公知の方法を用いて記憶部２５に記憶した業務情報を管理してもよく、その機能の一部または全部が既成のメモリ管理またはファイル管理などを用いて実現されてもよい。
【００４２】
業務情報転送部２６３は、例えば、利用者から操作部２３を介して業務情報の転送を指示されたとき、記憶部２５に記憶されている未転送の業務情報をセンタ装置３に転送する業務情報転送処理を実行する。また、業務情報転送部２６３は、送信を完了した業務情報を業務情報処理部２６２によって記憶部２５から削除する。
【００４３】
勤務終了処理部２６４は、利用者が勤務を終了したときの勤務終了処理を行う。勤務終了処理部２６４は、利用者から操作部２３を介して勤務終了を示すコマンドが入力されたとき、記憶部２５に未転送の業務情報が記憶されていなければ、利用者の勤務終了を表す退勤信号を通信処理部２１を介してセンタ装置３に送信する。一方、勤務終了処理部２６４は、記憶部２５に未転送の業務情報が記憶されている場合、退勤信号をセンタ装置３に送信しない。これにより、本発明に係る携帯端末２は、利用者がセンタ装置３への業務情報の転送の操作を忘れることを防止し、業務情報が携帯端末２に残されたまま放置されるのを防止することができる。
【００４４】
図４は、本実施形態に係るセンタ装置３の構成図である。図４に示すように、センタ装置３は、通信処理部３１と、ＩＰ通信処理部３２と、表示部３３と、操作部３４と、報知部３５と、記憶部３６と、制御部３７とを有する。
【００４５】
通信処理部３１は、携帯端末２の通信処理部２１と同様に携帯電話ネットワーク６に接続された基地局装置９と無線通信を行うための通信インターフェース回路を有する。通信処理部３１は、基地局装置９を介して携帯端末２から受信した情報を、制御部３７に送る。また、通信処理部３１は、制御部３７から受け取った情報を、基地局装置９を介して携帯端末２に送信する。なお、センタ装置３がＩＰネットワーク７経由で携帯端末２と通信する場合、通信処理部３１を省略してもよい。以下では、センタ装置３がＩＰ通信処理部３２により、ＩＰネットワーク７経由で携帯端末２と通信する例について説明する。
【００４６】
ＩＰ通信処理部３２は、センタ装置３をＩＰネットワーク７に接続するための通信インターフェース回路を有する。ＩＰ通信処理部３２は、ＩＰネットワーク７を介して携帯端末２から受信した情報を、制御部３７に送る。また、ＩＰ通信処理部３２は、制御部３７から受け取った情報を、ＩＰネットワーク７を介して携帯端末２に送信する。さらに、ＩＰ通信処理部３２は、ＩＰネットワーク７を介して警備装置４から受信した異常検出信号などの情報を制御部３７に送る。
【００４７】
表示部３３は、液晶ディスプレイ、タッチパネルディスプレイなどの表示デバイスで構成され、異常検出信号を送信した警備装置４が設置された物件や検出された異常の内容などを監視員に報知する報知部として機能する。また、表示部３３は、携帯端末２からＩＰ通信処理部３２を介して受信された点検情報および画像情報などの業務情報を表示する。
【００４８】
操作部３４は、キーボードやマウスなどの操作デバイスで構成され、監視員がセンタ装置３に情報を入力するための入力装置として機能する。なお、表示部３３をタッチパネルディスプレイで構成することで、表示部３３と操作部３４とを一体化してもよい。
【００４９】
報知部３５は、ブザー、サイレン、ランプおよび／またはスピーカなどで構成され、監視員に異常検出などを報知する。
【００５０】
記憶部３６は、ＲＯＭ、ＲＡＭ等の半導体メモリを有する。また、記憶部３６は、ハードディスクなどの磁気記憶媒体、ならびに／あるいは、ＣＤ−ＲＯＭおよび／もしくはＤＶＤなどの光記憶媒体と、そのアクセス装置とを含んでもよい。記憶部３６は、センタ装置３を制御するためのコンピュータプログラム、各種パラメータおよび各種データを記憶し、制御部３７との間でこれらの情報をやりとりする。プログラムは、通信ネットワーク６もしくは７から通信処理部３１もしくはＩＰ通信処理部３２を介して提供されて記憶部３６に記憶されてもよく、ＣＤ−ＲＯＭおよび／もしくはＤＶＤなどのコンピュータ読み取り可能な記憶媒体またはファームウェアによって提供されてもよい。
【００５１】
記憶部３６は、利用者情報、警備情報、勤務管理情報および業務情報などを記憶する。警備情報および業務情報は、携帯端末２の記憶部２５に記憶されるものと同様の情報である。
【００５２】
利用者情報は、携帯端末２を使用することができる利用者の個人識別情報および認証情報などの利用者に関する情報である。
【００５３】
勤務管理情報は、利用者の出勤および退勤などを管理する情報である。勤務管理情報は、利用者が警備を行う勤務地、出勤時刻、退勤時刻、使用する携帯端末２などの情報を有してもよい。
【００５４】
制御部３７は、１つまたは複数のプロセッサおよびその周辺回路を有する。そして、制御部３７は、記憶部３６の半導体メモリに記憶されたプログラムを実行することによって、センタ装置３の動作を制御する。
【００５５】
図４に示すように、制御部３７は、勤務開始登録部３７１と、業務情報受信部３７２と、勤務終了登録部３７３とを有する。例えば、これらの各部は、記憶部３６が有するプロセッサにより実行されるプログラムにより実現される機能モジュールである。なお、制御部３７の各部の動作については、後でより詳細に述べる。
【００５６】
勤務開始登録部３７１は、ＩＰ通信処理部３２が携帯端末２から勤務開始信号を受信したとき、勤務を開始した利用者を認証し、利用者の出勤を勤務管理情報に登録する。また、勤務開始登録部３７１は、利用者が警備を行うのに使用する警備情報を通信処理部３２を介して携帯端末２に送る。これは、例えば、記憶部３６の利用者情報に利用者ごとの勤務内容を予め登録しておくことで、利用者が必要とする警備情報を抽出することができる。また、勤務開始登録部３７１は、暗号鍵を生成し通信処理部３２を介して携帯端末２に送ってもよい。
【００５７】
業務情報受信部３７２は、携帯端末２からＩＰ通信処理部３２が受信した業務情報を記憶部３６に記憶する。
【００５８】
勤務終了登録部３７３は、ＩＰ通信処理部３２が携帯端末２から退勤信号を受信したとき、勤務を終了した利用者の退勤を勤務管理情報に登録する。
【００５９】
図５〜図１２を参照しながら、携帯端末２およびセンタ装置３の動作について、警備員の警備の流れに沿って説明する。
【００６０】
警備員は、警備の現場に到着すると、携帯端末２の操作部２３を操作して、勤務開始を監視センタに通知し、監視センタから必要な情報を取得する。このため、警備員は、本発明に係る携帯端末２における業務情報を管理する処理を実行させるための業務情報管理プログラムを携帯端末２上で起動する。
【００６１】
図５および図６は、本実施形態に係る携帯端末２において業務情報管理プログラムによって実行される処理の概略を示すフローチャートである。図５に示すように、業務情報管理プログラムが起動されると、制御部２６は、利用者が携帯端末２に実行させる処理を選択する処理の選択処理を実行する（ステップＳ５０１）。携帯端末２の利用者は、例えば、表示部２２に表示される処理選択画面において操作部２３を用いて所望の処理を選択する。
【００６２】
勤務を開始するとき、警備員が、ステップＳ５０１において操作部２３を用いて勤務開始処理を選択する（ステップＳ５０２のＹｅｓ）と、制御部２６は、勤務開始処理部２６１による勤務開始処理を開始する（ステップＳ５０３）。
【００６３】
図７は、本実施形態に係る携帯端末２の勤務開始処理における動作シーケンス図である。図７に示すように、携帯端末２において勤務開始処理が開始されると、勤務開始処理部２６１は、例えば、表示部２２に勤務開始に必要な勤務開始情報を入力するための勤務開始入力画面を表示する。携帯端末２の利用者は、この勤務開始入力画面において、操作部２３を用いて個人識別情報、端末識別情報および認証情報などの勤務開始に必要な勤務開始情報を入力する（ステップＳ７０１）。なお、端末識別情報は、利用者が入力せずに、例えば、携帯端末２の製造時などに記憶部２５に記憶されている携帯端末２の識別情報を取得してもよい。勤務開始処理部２６１は、操作部２３から取得した勤務開始情報を勤務開始信号と共に通信処理部２１を介してセンタ装置３に送る（ステップＳ７０２）。
【００６４】
センタ装置３において、勤務開始登録部３７１は、携帯端末２から送信された勤務開始信号および勤務開始情報をＩＰ通信処理部３２を介して受け取る（ステップＳ７０３）。そして、勤務開始登録部３７１は、受信した利用者の個人識別情報および認証情報と記憶部３６に記憶されている利用者情報の個人識別情報および認証情報とを照合して、利用者の認証を行う（ステップＳ７０４）。利用者が認証されると、勤務開始登録部３７１は、受け取った利用者の個人識別情報および端末識別情報などの情報を記憶部３６の勤務管理情報に追加することによって、利用者の出勤を登録する（ステップＳ７０５）。
【００６５】
センタ装置３の勤務開始登録部３７１は、受け取った個人識別情報に基づいて、この利用者が実施する警備に関する警備情報を、記憶部３６から取り出す。そして、勤務開始登録部３７１は、取り出した警備情報と公開鍵および共通鍵などの暗号鍵とを、ＩＰ通信処理部３２を介して携帯端末２に送る（ステップＳ７０６）。また、制御部３７は、秘密鍵および共通鍵などの暗号鍵を記憶部３６に記憶する。なお、公開鍵方式の公開鍵および秘密鍵の鍵ペア並びに共通鍵などの暗号鍵は、センタ装置３の制御部３７によって事前に生成されてもよい。
【００６６】
携帯端末２において、勤務開始処理部２６１は、センタ装置３から送信された警備情報および暗号鍵を通信処理部２１を介して受け取る（ステップＳ７０７）。また、勤務開始処理部２６１は、受け取った警備情報および暗号鍵などを記憶部２５に記憶する。
【００６７】
警備員は、勤務開始を監視センタに登録し終えると、センタ装置３から送られた警備のスケジュールや警備場所の地図などの警備情報を携帯端末２に表示して参照しながら、警備を行う場所に行き、各点検項目について点検を開始する。そして、警備員は、携帯端末２上で操作部２３から点検の記録を入力して点検情報を作成する。
【００６８】
点検情報を作成するため、警備員が、図５のステップＳ５０１において操作部２３を用いて点検情報作成処理を選択する（ステップＳ５０４のＹｅｓ）と、制御部２６は、業務情報処理部２６２による点検情報作成処理を開始する（ステップＳ５０５）。
【００６９】
図８は、本実施形態に係る携帯端末２の点検情報作成処理における動作シーケンス図である。図８に示すように、携帯端末２において点検情報作成処理が開始されると、業務情報処理部２６２は、表示部２２に点検情報を作成するための点検情報作成画面を表示する。このとき、業務情報処理部２６２は、この点検情報作成画面に記憶部３６に警備情報として記憶されている点検情報入力フォームを表示してもよい。利用者は、この点検情報入力フォームによって、例えば、警備の場所ごとに、到着時刻、出発時刻、点検項目および点検結果などの点検記録を、操作部２３を介して容易に入力することができる（ステップＳ８０１）。
【００７０】
業務情報処理部２６２は、操作部２３から受け取った利用者が入力した情報に基づいて点検情報を生成する（ステップＳ８０２）。利用者による点検情報の入力が終わると、業務情報処理部２６２は、生成した点検情報を、未転送の業務情報として記憶部２５に記憶する（ステップＳ８０３）。このとき、業務情報処理部２６２は、点検情報を共通鍵で暗号化して記憶部２５に記憶してもよい。
【００７１】
なお、業務情報処理部２６２は、作成した業務情報を、特定のフォルダなどの記憶部２５の特定の記憶領域に記憶してもよい。また、業務情報処理部２６２は、作成した業務情報を、例えば、特定の拡張子を付けたファイル名などの特定の形式の識別情報に対応付けて記憶部２５に記憶してもよい。
【００７２】
警備員は、携帯端末２を用いて点検を行う際に、携帯端末２の内蔵カメラを利用して周囲の監視画像を撮影することができる。
【００７３】
監視画像を撮影するため、警備員が、図５のステップＳ５０１において操作部２３を用いて画像情報作成処理を選択すると（ステップＳ５０６のＹｅｓ）、制御部２６は、業務情報処理部２６２による画像情報作成処理を開始する（ステップＳ５０７）。
【００７４】
図９は、本実施形態に係る携帯端末２の画像情報作成処理における動作シーケンス図である。図９に示すように、携帯端末２の画像情報作成処理において、利用者によって操作部２３を介して画像の撮影開始の指示が入力される（ステップＳ９０１）と、業務情報処理部２６２は、画像取得部２４に撮影開始の指示を送り画像情報の取得を開始する（ステップＳ９０２）。そして、業務情報処理部２６２は、画像取得部２４から取得した画像情報を随時記憶部２５に記憶する（ステップＳ９０３）。このとき、業務情報処理部２６２は、取得した画像情報を公開鍵で暗号化して記憶部２５に記憶してもよい。
【００７５】
業務情報処理部２６２は、利用者から操作部２３を介して画像の撮影終了の指示を受け取る（ステップＳ９０４）と、画像取得部２４に撮影終了の指示を送り画像情報の取得を終了する。
【００７６】
警備員は、例えば、警備を行う場所の状況の変化に応じて、携帯端末２で既に作成された点検情報を読み出して確認したり、点検の記録を追加／修正して点検情報などの業務情報を更新する。
【００７７】
業務情報を更新するため、警備員が、図５のステップＳ５０１において操作部２３を用いて業務情報更新処理を選択すると（ステップＳ５０８のＹｅｓ）、制御部２６は、業務情報処理部２６２による業務情報更新処理を開始する（ステップＳ５０９）。
【００７８】
図１０は、本実施形態に係る携帯端末２の業務情報更新処理における動作シーケンス図である。図１０に示すように、携帯端末２において業務情報更新処理が開始されると、業務情報処理部２６２は、例えば、表示部２２に更新する業務情報を選択するための業務情報選択画面を表示する（ステップＳ１００１）。この業務情報選択画面において、利用者が操作部２３によって業務情報を選択すると、業務情報処理部２６２は、選択された業務情報を記憶部２５から読み出す（ステップＳ１００２）。
【００７９】
業務情報処理部２６２は、読み出した業務情報を表示部２２に業務情報更新画面として表示する（ステップＳ１００３）。この業務情報更新画面は、上述の点検情報作成画面（図８のステップＳ８０１）と同様の画面でもよい。このとき、読み出された業務情報が共通鍵で暗号化されていれば、業務情報処理部２６２は、表示部２２に表示する前に共通鍵を用いて暗号化された業務情報を復号する。
【００８０】
利用者は、この業務情報更新画面において、操作部２３を用いて業務情報を編集することができる（ステップＳ１００４）。業務情報処理部２６２は、利用者からの操作部２３による編集の入力に基づいて読み出した業務情報を変更する。
【００８１】
業務情報処理部２６２は、利用者による編集の入力が終了し、変更済み業務情報が生成されると、記憶部２５に記憶されている変更前の業務情報を変更後の業務情報に置き換える（ステップＳ１００５）。このとき、業務情報処理部２６２は、必要に応じて業務情報の記憶に関する管理情報を更新する。また、業務情報処理部２６２は、共通鍵で変更後の業務情報を暗号化して記憶部２５に記憶してもよい。
【００８２】
警備員は、例えば、警備を終了したとき、または、少し離れた場所へ移動するときなどに、警備中に携帯端末２で作成／更新した点検情報を監視センタに転送する。また、警備員は、画像情報を作成した後などに、画像情報を監視センタに転送することができる。
【００８３】
業務情報を転送するため、警備員が、図５のステップＳ５０１において操作部２３によって業務情報転送処理を選択すると（ステップＳ５１０のＹｅｓ）、制御部２６は、業務情報転送部２６３による業務情報転送処理を開始する（ステップＳ５１１）。
【００８４】
図１１は、本実施形態に係る携帯端末２の業務情報転送処理における動作シーケンス図である。図１１に示すように、携帯端末２において業務情報転送処理が開始されると、業務情報転送部２６３は、未転送の業務情報を、記憶部２５から読み出し、個人識別情報および端末識別情報と共に通信処理部２１によってセンタ装置３に送る（ステップＳ１１０１）。なお、業務情報転送部２６３は、業務情報選択画面を表示部２２に表示して、転送する業務情報を利用者に選択させてもよい。
【００８５】
センタ装置３において、業務情報受信部３７２は、携帯端末２から送信された業務情報、個人識別情報および端末識別情報をＩＰ通信処理部３２を介して受け取る（ステップＳ１１０２）。業務情報受信部３７２は、すべての業務情報を正常に受信したことを確認すると、携帯端末２に業務情報の受信が正常に完了したことを表す受信完了信号をＩＰ通信処理部３２を介して送信する（ステップＳ１１０３）。
【００８６】
また、センタ装置３の業務情報受信部３７２は、携帯端末２から受信した業務情報を個人識別情報および端末識別情報と関連付けて記憶部３６に記憶する（ステップＳ１１０４）。そして、業務情報受信部３７２は、記憶部３６に記憶された業務情報を、記憶部３６から読み出して表示部３３に表示することができる（ステップＳ１１０５）。このとき、記憶部３６に記憶されている業務情報が公開鍵で暗号化されている場合、業務情報受信部３７２は、読み出した業務情報を秘密鍵で復号してから表示部３３に表示する。
【００８７】
携帯端末２において、業務情報転送部２６３は、センタ装置３から受信完了信号を通信処理部２１を介して受け取る（ステップＳ１１０６）と、送信完了した業務情報を業務情報処理部２６２によって記憶部２５から削除する（ステップＳ１１０７）。
【００８８】
なお、業務情報転送部２６３は、ステップＳ１１０１において、携帯電話ネットワーク６の電波状態が悪いときなど送信することができない場合、電波状態が悪くて送信できないので後で再転送するようメッセージを表示部２２に表示し、業務情報転送処理を終了してもよい。また、業務情報転送部２６３は、業務情報を送信して（ステップＳ１１０１）から一定時間経過してもセンタ装置３から受信完了信号が送られない場合、送信が正常に完了しなかったので後で再転送するようメッセージを表示部２２に表示し、業務情報転送処理を終了してもよい。
【００８９】
警備員は、すべての警備が終わると、携帯端末２によって勤務終了を通知する退勤信号をセンタ装置３に送信するための勤務終了処理を実行させる。このとき、警備員が、勤務終了前に業務情報をセンタ装置３に転送する操作を忘れてしまうと、携帯端末２内に未転送の業務情報が残っている場合がある。また、業務情報転送の操作を行ったとしても、例えば、携帯電話ネットワーク６の電波状態などが原因で、業務情報のセンタ装置３への送信が完了しておらず、その後の再転送の操作を忘れていることもある。このため、本発明に係る携帯端末２は、以下の勤務終了処理によって、携帯端末２からセンタ装置３への業務情報の転送の操作を忘れることを防止し、業務情報が携帯端末２に残されたまま放置されるのを防止する。
【００９０】
勤務を終了するとき、警備員が、図５のステップＳ５０１において操作部２３によって勤務終了処理を選択すると（図６のステップＳ５１２のＹｅｓ）、制御部２６は、勤務終了処理部２６４による勤務終了処理を開始する（図６のステップＳ５１３）。
【００９１】
図１２は、本実施形態に係る携帯端末２の勤務終了処理における動作シーケンス図である。図１２に示すように、携帯端末２において勤務終了処理が開始されると、勤務終了処理部２６４は、記憶部２５に未転送の業務情報が記憶されているか否かを判定する（ステップＳ１２０１）。
【００９２】
未転送の業務情報が記憶部２５に記憶されている場合（ステップＳ１２０１のＹｅｓ）、勤務終了処理部２６４は、未転送の業務情報があるので退勤できないことを示すメッセージを表示部２２に表示する（ステップＳ１２０２）。そして、勤務終了処理部２６４は、退勤登録できなかったことを表す退勤不可信号を記憶部２５の作業領域に出力して勤務終了処理を終了する（ステップＳ１２０３）。
【００９３】
例えば、業務情報作成処理において、業務情報が記憶部２５の特定のフォルダもしくは記憶領域に記憶される場合、勤務終了処理部２６４は、この特定のフォルダもしくは記憶領域に業務情報が記憶されていれば、未転送の業務情報があると判定することができる。また、例えば、業務情報作成処理において、業務情報が、特定の拡張子を有するファイル名あるいは特定のフラグを付されて記憶部２５に記憶される場合、勤務終了処理部２６４は、その特定の拡張子を有するファイル名またはフラグが付された情報が記憶部２５に記憶されていれば、未転送の業務情報が残っていると判定してもよい。
【００９４】
未転送の業務情報が記憶部２５に記憶されていない場合（ステップＳ１２０１のＮｏ）、勤務終了処理部２６４は、退勤信号を利用者の個人識別情報および端末識別情報と共に通信処理部２１を介してセンタ装置３に送る（ステップＳ１２０４）。また、勤務終了処理部２６４は、記憶部２５に記憶されている警備情報および暗号鍵などの情報を消去する。そして、勤務終了処理部２６４は、退勤を完了したことを表す退勤完了信号を記憶部２５の作業領域に出力して勤務終了処理を終了する（ステップＳ１２０６）。
【００９５】
センタ装置３において、勤務終了登録部３７３は、携帯端末２から送信された退勤信号、個人識別情報および端末識別情報をＩＰ通信処理部３２を介して受け取る（ステップＳ１２０７）。そして、勤務終了登録部３７３は、受け取った個人識別情報および端末識別情報に基づいて、利用者の退勤を勤務管理情報に登録する（ステップＳ１２０８）。
【００９６】
図６に示すように、制御部２６は、勤務終了処理部２６４による勤務終了処理が終了すると、勤務終了処理部２６４の出力に基づいて、退勤登録が完了したか否かを判定する（ステップＳ５１４）。退勤登録が完了した場合（ステップＳ５１４のＹｅｓ）、制御部２６は、業務情報管理の処理を終了する。退勤登録が完了していない場合（ステップＳ５１４のＮｏ）、制御部２６は、図５の処理の選択処理（ステップＳ５０１）に戻る。したがって、警備員は、未転送の業務情報が記憶部２５に記憶されている場合、表示部２２に表示された処理選択画面で操作部２３によって業務情報転送処理を選択し、記憶部２５に記憶されている業務情報をセンタ装置３に転送することができる。
【００９７】
以上説明してきたように、本発明の一実施形態に係る携帯端末は、利用者が、勤務終了時、携帯端末から監視センタのセンタ装置へ退勤登録を行うとき、携帯端末内に未転送の業務情報が残っているか否かを判定し、未転送の業務情報が携帯端末内に残っている場合、センタ装置への退勤登録を行わない。したがって、携帯端末内に未転送の業務情報が残っている間、利用者は勤務を終了することができない。また携帯端末は、携帯端末内に未転送の業務情報が残っているので退勤登録できないことを利用者に通知するので、利用者は、携帯端末で業務情報転送の操作を行い、携帯端末内の業務情報を監視センタのセンタ装置に転送することができる。したがって、各携帯端末の各利用者は、携帯端末内の業務情報をすべてセンタ装置に転送しなければ勤務を終了することができないので、各携帯端末で作成された業務情報は、すべて、利用者の勤務が終了する前に確実にセンタ装置に送信される。
【００９８】
また、この携帯端末は、業務情報のセンタ装置への送信を完了するごとに、送信し終わった業務情報を携帯端末の記憶部から削除する。したがって、勤務を終了する前に、携帯端末内の業務情報のセンタ装置への送信がすべて完了すると、携帯端末内の業務情報は、すべて削除されており、携帯端末内に放置されることはないので、不正流出などのセキュリティ上の問題を防止することができる。
【００９９】
本発明は上記実施の形態に限定されるものではなく、幾多の変更および変形が可能である。例えば、上記実施形態では、携帯端末２の勤務終了処理において、勤務終了処理部２６４は、未転送の業務情報が記憶部２５に記憶されている場合（図１２のステップＳ１２０１のＹｅｓ）、未転送の業務情報があるので退勤できないことを示すメッセージを表示するだけでなく、記憶部２５に記憶されている未転送の業務情報を通信処理部２１を介してセンタ装置３に送ってもよい。この場合、勤務終了処理部２６４は、業務情報をセンタ装置３に送る前に、未転送の業務情報のリストを表示部２２に表示し、利用者にセンタ装置３に送信してよいか否かを確認してから送ってもよい。
【０１００】
また、上記実施形態では、センタ装置３において、制御部３７が公開鍵方式の鍵ペアおよび共通鍵を生成し、通信処理部３２を介して携帯端末２に送った（図７のステップＳ７０６）が、共通鍵は、携帯端末２の制御部２６が生成してもよい。この場合、業務情報転送処理において、業務情報転送部２６３は、共通鍵で暗号化された業務情報と共に共通鍵を通信処理部２１を介してセンタ装置３に送ってもよい（図１１のステップＳ１１０１）。
【０１０１】
さらに、勤務開始処理において、勤務開始処理部２６１は、センタ装置３の記憶部３６に記憶されている未記入の点検情報入力フォームを受信して、業務情報処理部２６２によって未転送の点検情報として記憶部２５に記憶させてもよい。これにより、利用者は、業務情報更新処理において、未記入の点検情報入力フォームを記憶部２５から読み出し、未記入の点検情報入力フォームに必要事項を入力することができる。
【０１０２】
また、業務情報転送処理において、業務情報転送部２６３は、業務情報をセンタ装置３に送信する（図１１のステップＳ１１０１）前に、転送する点検情報入力フォームのすべての項目が入力済みか否かをチェックしてもよい。転送する点検情報に未入力の項目があれば、業務情報転送部２６３は、点検情報に未入力の項目があるので送信できないことを示すメッセージを表示し、業務情報転送処理を終了してもよい。
【０１０３】
さらに、携帯端末２において作成される業務情報は、点検情報および画像情報に限定されない。点検情報は、例えば、携帯端末２の利用者が、自然災害や事故などの発生時に現地から被害状況や観察結果などを報告するとき、携帯端末２に入力して作成する他の情報でもよい。また、画像情報は、音声、気象観測データ、大気中の有害物質の測定値など、他の装置から得られる情報でもよい。この場合、携帯端末２の画像取得部２４は、それぞれの情報を取得可能な他の装置に置き換えられる。
【０１０４】
また、例えば、本実施形態では、警備システムを例にして説明したが、本発明に係る通信システムは、警察、自衛隊、自治体等で用いられるシステムにも適用することができる。
【符号の説明】
【０１０５】
１    警備システム
２    携帯端末
３    センタ装置
４    警備装置
５    基地局装置
６    携帯電話ネットワーク
７    ネットワーク
８    基地局装置
９    基地局装置
１０    アクセスポイント
１１    ルータ
２１    通信処理部
２２    表示部
２３    操作部
２４    画像取得部
２５    記憶部
２６    制御部
３１    通信処理部
３２    通信処理部
３３    表示部
３４    操作部
３５    報知部
３６    記憶部
３７    制御部
２６１    勤務開始処理部
２６２    業務情報処理部
２６３    業務情報転送部
２６４    勤務終了処理部
３７１    勤務開始登録部
３７２    業務情報受信部
３７３    勤務終了登録部
【図１】
2015121975.tif 000003
【図２】
2015121975.tif 000004
【図３】
2015121975.tif 000005
【図４】
2015121975.tif 000006
【図５】
2015121975.tif 000007
【図６】
2015121975.tif 000008
【図７】
2015121975.tif 000009
【図８】
2015121975.tif 000010
【図９】
2015121975.tif 000011
【図１０】
2015121975.tif 000012
【図１１】
2015121975.tif 000013
【図１２】
2015121975.tif 000014
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
記憶部と、
センタ装置と通信を行う通信処理部と、
利用者が操作して情報を入力する操作部と、
前記操作部から勤務開始が入力されたとき前記センタ装置に勤務開始信号を前記通信処理部を介して送信する勤務開始処理部と、
前記勤務開始が入力されてから前記操作部から入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、
を有することを特徴とする携帯端末。
【請求項２】
前記業務情報転送部は、前記センタ装置への送信が完了した前記業務情報を前記記憶部から削除する、請求項１に記載の携帯端末。
【請求項３】
前記記憶部は、前記作成された業務情報を暗号鍵で暗号化した業務情報と該暗号鍵とを記憶し、
前記業務情報転送部は、前記暗号化された業務情報を前記暗号鍵と共に前記センタ装置に送信し、
前記勤務終了処理部は、前記センタ装置に前記退勤信号を送信すると、前記暗号鍵を前記記憶部から削除する、請求項１または２に記載の携帯端末。
【請求項４】
表示部をさらに有し、
前記勤務終了処理部は、前記操作部から前記勤務終了が入力されたとき、前記記憶部に前記未転送の業務情報が記憶されている場合、利用者に前記未転送の業務情報が記憶されていることを示すメッセージを前記表示部に表示させる、請求項１〜３のいずれか一項に記載の携帯端末。
【請求項５】
前記勤務終了処理部は、前記操作部から前記勤務終了が入力されたとき、前記記憶部に前記未転送の業務情報が記憶されている場合、前記未転送の業務情報を前記センタ装置に送信し、前記センタ装置に前記退勤信号を前記通信処理部を介して送信する、請求項１〜４のいずれか一項に記載の携帯端末。
【請求項６】
携帯端末と、該携帯端末に通信回線で接続されたセンタ装置と、を有する業務情報管理システムであって、
前記携帯端末は、
記憶部と、
前記センタ装置と通信を行う通信処理部と、
利用者が操作して情報を入力する操作部と、
前記操作部から勤務開始が入力されたとき前記センタ装置に勤務開始信号を前記通信処理部を介して送信する勤務開始処理部と、
前記勤務開始が入力されてから前記操作部から入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、を有し、
前記センタ装置は、
記憶部と、
前記携帯端末と通信を行う通信処理部と、
前記携帯端末から前記通信処理部によって受信した業務情報を前記記憶部に記憶する業務情報受信部と、
前記通信処理部が退勤信号を受信すると、前記携帯端末の利用者の退勤を登録する勤務終了登録部と、を有することを特徴とする業務情報管理システム。
【請求項７】
記憶部と、センタ装置と通信を行う通信処理部と、利用者が操作して情報を入力する操作部と、を有する携帯端末によって実行される業務情報管理方法であって、
前記操作部から勤務開始が入力されたとき前記センタ装置に勤務開始信号を前記通信処理部を介して送信するステップと、
前記勤務開始が入力されてから前記操作部から入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
を有することを特徴とする方法。
【請求項８】
携帯端末と、該携帯端末に通信回線で接続されたセンタ装置と、を有する業務情報管理システムにおいて実行される業務情報管理方法であって、
前記携帯端末は、
記憶部と、
前記センタ装置と通信を行う通信処理部と、
利用者が操作して情報を入力する操作部と、を有し、
前記センタ装置は、
記憶部と、
前記携帯端末と通信を行う通信処理部と、を有し、前記方法は、
前記携帯端末が、
前記操作部から勤務開始が入力されたとき前記センタ装置に勤務開始信号を前記通信処理部を介して送信するステップと、
前記勤務開始が入力されてから前記操作部から入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
前記センタ装置が、
前記携帯端末から前記通信処理部によって受信した業務情報を前記記憶部に記憶するステップと、
前記通信処理部が退勤信号を受信すると、前記携帯端末の利用者の退勤を登録するステップと、を有することを特徴とする方法。
【請求項９】
制御部と、記憶部と、センタ装置と通信を行う通信処理部と、利用者が操作して情報を入力する操作部と、を有する携帯端末において実行される業務情報管理プログラムであって、
前記操作部から勤務開始が入力されたとき前記センタ装置に勤務開始信号を前記通信処理部を介して送信する手順と、
前記勤務開始が入力されてから前記操作部から入力された情報に基づき作成された業務情報を前記記憶部に記憶する手順と、
前記操作部から転送指示が入力されると、前記業務情報を前記通信処理部を介して前記センタ装置に送信する手順と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する手順と、
を前記制御部に実行させることを特徴とする業務情報管理プログラム。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
記憶部と、
センタ装置と通信を行う通信処理部と、
利用者が操作して情報を入力する操作部と、
前記操作部から勤務開始が入力されたとき前記センタ装置に利用者の個人識別情報を有する勤務開始信号を前記通信処理部を介して送信し、前記センタ装置から利用者が業務を実施するのに使用する情報を受信する勤務開始処理部と、
前記勤務開始が入力されてから前記操作部から入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、
を有することを特徴とする携帯端末。
【請求項２】
前記業務情報転送部は、前記センタ装置への送信が完了した前記業務情報を前記記憶部から削除する、請求項１に記載の携帯端末。
【請求項３】
前記記憶部は、前記作成された業務情報を暗号鍵で暗号化した業務情報と該暗号鍵とを記憶し、
前記業務情報転送部は、前記暗号化された業務情報を前記暗号鍵と共に前記センタ装置に送信し、
前記勤務終了処理部は、前記センタ装置に前記退勤信号を送信すると、前記暗号鍵を前記記憶部から削除する、請求項１または２に記載の携帯端末。
【請求項４】
表示部をさらに有し、
前記勤務終了処理部は、前記操作部から前記勤務終了が入力されたとき、前記記憶部に前記未転送の業務情報が記憶されている場合、利用者に前記未転送の業務情報が記憶されていることを示すメッセージを前記表示部に表示させる、請求項１〜３のいずれか一項に記載の携帯端末。
【請求項５】
前記勤務終了処理部は、前記操作部から前記勤務終了が入力されたとき、前記記憶部に前記未転送の業務情報が記憶されている場合、前記未転送の業務情報を前記センタ装置に送信し、前記センタ装置に前記退勤信号を前記通信処理部を介して送信する、請求項１〜４のいずれか一項に記載の携帯端末。
【請求項６】
携帯端末と、該携帯端末に通信回線で接続されたセンタ装置と、を有する業務情報管理システムであって、
前記携帯端末は、
記憶部と、
前記センタ装置と通信を行う通信処理部と、
利用者が操作して情報を入力する操作部と、
前記操作部から勤務開始が入力されたとき前記センタ装置に利用者の個人識別情報を有する勤務開始信号を前記通信処理部を介して送信し、前記センタ装置から利用者が業務を実施するのに使用する情報を受信する勤務開始処理部と、
前記勤務開始が入力されてから前記操作部から入力された情報に基づき作成された業務情報を前記記憶部に記憶する業務情報処理部と、
前記操作部から転送指示が入力されると、前記業務情報を前記通信処理部を介して前記センタ装置に送信する業務情報転送部と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する勤務終了処理部と、を有し、
前記センタ装置は、
記憶部と、
前記携帯端末と通信を行う通信処理部と、
前記通信処理部が勤務開始信号を受信すると、該勤務開始信号が有する利用者の個人識別情報に基づいて対応する利用者の出勤を登録するとともに利用者が業務を実施するのに使用する情報を前記携帯端末に送信する勤務開始登録部と、
前記携帯端末から前記通信処理部によって受信した業務情報を前記記憶部に記憶する業務情報受信部と、
前記通信処理部が退勤信号を受信すると、前記携帯端末の利用者の退勤を登録する勤務終了登録部と、を有することを特徴とする業務情報管理システム。
【請求項７】
記憶部と、センタ装置と通信を行う通信処理部と、利用者が操作して情報を入力する操作部と、を有する携帯端末によって実行される業務情報管理方法であって、
前記操作部から勤務開始が入力されたとき前記センタ装置に利用者の個人識別情報を有する勤務開始信号を前記通信処理部を介して送信するステップと、
前記センタ装置から利用者が業務を実施するのに使用する情報を受信するステップと、
前記勤務開始が入力されてから前記操作部から入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
を有することを特徴とする方法。
【請求項８】
携帯端末と、該携帯端末に通信回線で接続されたセンタ装置と、を有する業務情報管理システムにおいて実行される業務情報管理方法であって、
前記携帯端末は、
記憶部と、
前記センタ装置と通信を行う通信処理部と、
利用者が操作して情報を入力する操作部と、を有し、
前記センタ装置は、
記憶部と、
前記携帯端末と通信を行う通信処理部と、を有し、前記方法は、
前記携帯端末が、
前記操作部から勤務開始が入力されたとき前記センタ装置に利用者の個人識別情報を有する勤務開始信号を前記通信処理部を介して送信するステップと、
前記センタ装置から利用者が業務を実施するのに使用する情報を受信するステップと、
前記勤務開始が入力されてから前記操作部から入力された情報に基づき作成された業務情報を前記記憶部に記憶するステップと、
前記操作部から転送指示が入力されると、前記業務情報を前記通信処理部を介して前記センタ装置に送信するステップと、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信するステップと、
前記センタ装置が、
前記通信処理部が勤務開始信号を受信すると、該勤務開始信号が有する利用者の個人識別情報に基づいて対応する利用者の出勤を登録するとともに利用者が業務を実施するのに使用する情報を前記携帯端末に送信するステップと、
前記携帯端末から前記通信処理部によって受信した業務情報を前記記憶部に記憶するステップと、
前記通信処理部が退勤信号を受信すると、前記携帯端末の利用者の退勤を登録するステップと、を有することを特徴とする方法。
【請求項９】
制御部と、記憶部と、センタ装置と通信を行う通信処理部と、利用者が操作して情報を入力する操作部と、を有する携帯端末において実行される業務情報管理プログラムであって、
前記操作部から勤務開始が入力されたとき前記センタ装置に利用者の個人識別情報を有する勤務開始信号を前記通信処理部を介して送信する手順と、
前記センタ装置から利用者が業務を実施するのに使用する情報を受信する手順と、
前記勤務開始が入力されてから前記操作部から入力された情報に基づき作成された業務情報を前記記憶部に記憶する手順と、
前記操作部から転送指示が入力されると、前記業務情報を前記通信処理部を介して前記センタ装置に送信する手順と、
前記操作部から勤務終了が入力されたとき、前記記憶部に未転送の業務情報が記憶されている場合、利用者が勤務を終了することを表す退勤信号を送信せず、前記記憶部に未転送の業務情報が記憶されていない場合、前記センタ装置に前記退勤信号を前記通信処理部を介して送信する手順と、
を前記制御部に実行させることを特徴とする業務情報管理プログラム。